(57)【要約】【課題】アルミ電線を掴んで切断場所に引き寄せたときのアルミ電線の被覆部材の損傷を防ぐことが可能な掴線器およびそれを用いた活線振り分け工具を提供する。【解決手段】掴線器は、嵌合溝が下面に形成された受けと、カム部材と、カム部材と受けとの間隔を調整する間隔調整部と、掴線器をアルミ電線の切断場所へ近づく方向へ引っ張る引張用工具に対して上下方向に揺動自在に連結可能な連結部とを備えている。受けの嵌合溝は、切断場所に近い側の第１端部においてＶ字状の断面を有し、切断場所に遠い側の第２端部において半円形の断面を有する。さらに、嵌合溝は、当該嵌合溝のうち切断場所に遠い側の第２端部を含む少なくとも一部において、嵌合溝に沿って遠い側の第２端部に近づくにつれてＶ字状の断面から半円形の断面へ徐々に変化する断面変化部を有する。【選択図】図４
2020054021.tif 000002
【特許請求の範囲】
【請求項１】
アルミニウム製の線材が被覆部材によって被覆されたアルミ電線を空中に架設された状態で切断するために切断場所の近傍でアルミ電線を掴むアルミ電線用の掴線器であって、
前記アルミ電線に上方から嵌まる嵌合溝が下面に形成された受けと、
前記受けの下側に配置され、アルミ電線を下方から支持する支持溝が上面に形成されたカム部材と、
前記カム部材と受けとの間隔を調整する間隔調整部と、
前記掴線器をアルミ電線の切断場所へ近づく方向へ引っ張る引張用工具に対して上下方向に揺動自在に連結可能な連結部と
を備えており、
前記受けの前記嵌合溝は、前記切断場所に近い側の第１端部においてＶ字状の断面を有し、前記切断場所に遠い側の第２端部において半円形の断面を有し、
さらに、前記嵌合溝は、当該嵌合溝のうち切断場所に遠い側の第２端部を含む少なくとも一部において、前記嵌合溝に沿って前記遠い側の第２端部に近づくにつれてＶ字状の断面から半円形の断面へ徐々に変化する断面変化部を有する、
ことを特徴とする掴線器。
【請求項２】
前記受けでは、前記嵌合溝における切断場所に遠い側の第２端部の縁が面取りされている、
請求項１に記載の掴線器。
【請求項３】
前記嵌合溝における前記第２端部の半円形の断面は、前記第１端部のＶ字状の断面の深さよりも深くなるように形成され、
前記断面変化部における前記Ｖ字状の断面の底部が延びる線に対するＶ字状の断面から半円形の断面へ徐々に変化する部分の底部が延びる線の角度は、前記アルミ電線が切断場所に引き寄せられた状態におけるアルミ電線のたわみの大きさに基づいて設定されている、
請求項２に記載の掴線器。
【請求項４】
前記受けは、前記間隔調整部に着脱自在に取り付けられている、
請求項１乃至３のいずれか１項に記載の掴線器。
【請求項５】
前記カム部材および前記受けは、前記間隔調整部に着脱自在に取り付けられている、
請求項１乃至３のいずれか１項に記載の掴線器。
【請求項６】
アルミニウム製の線材が被覆部材によって被覆されたアルミ電線を空中に架設された状態で切断するために切断場所の近傍の両側でアルミ電線を掴んで当該アルミ電線を当該切断場所へ両側から引き寄せる活線振り分け工具であって、
請求項１乃至５のいずれか１項に記載の掴線器であって、前記切断場所の両側で前記アルミ電線を掴む一対の掴線器と、
前記一対の掴線器のそれぞれをアルミ電線の切断場所へ近づく方向へ引っ張る引張用工具とを備え、
前記引張用工具は、伸縮自在の伸縮棒を備えており、
前記一対の掴線器のそれぞれの前記連結部が前記伸縮棒の両端部に連結されることにより、当該一対の掴線器は、前記伸縮棒に対して上下方向に揺動自在に連結されている、
活線振り分け工具。
【発明の詳細な説明】
【技術分野】
【０００１】
本発明は掴線器およびそれを用いた活線振り分け工具に関する。さらに詳しくは、アルミ電線を掴んで切断場所に引き寄せたときのアルミ電線の被覆部材の損傷を防ぐことが可能な掴線器およびそれを用いた活線振り分け工具に関する。
【背景技術】
【０００２】
従来、電柱間などに空中に架設された通電状態の電線（以下、活線という）を所望の場所で切断するために、電線における切断場所の両側の部分を一対の掴線器のそれぞれによってつかみ、これら一対の掴線器を伸縮棒などの引張用工具を用いて互いに近づけることにより、切断場所付近の電線をたわませて、切断することが可能である。
【０００３】
従来の掴線器は、例えば、特許文献１に記載されているように、電線を上下から挟んで掴む部分として、上側掴線体と下側掴線体とを備えている。上側掴線体と下側掴線体との対向面には、それぞれ半円形断面の溝が形成されている。上側掴線体をベース部などに固定した状態で、下側掴線体を上方へ移動させることにより、上側掴線体および下側掴線体のそれぞれの溝に嵌合した状態で電線を掴むことができる。
このような掴線器は、通常、電線を掴んで切断場所の方へ引き寄せる際に電線がすべらないように、上側掴線体と下側掴線体の溝の内部に突起（いわゆる、スパイク）が設けられる。スパイクが電線に食い込むことにより、電線を掴んで切断場所の方へ引き寄せるときに電線が軸方向へすべることを防止している。
【０００４】
種々の電線のうち最も普及している銅電線は、銅線が被覆部材で被覆された構造を有している。このような銅電線を掴線器で掴む場合、スパイクが被覆部材内部の銅線まで食い込むことによって銅電線を引き寄せたときのすべりを確実に防ぐことが可能である。
一方、近年普及しつつあるアルミニウム製の線材を備えた電線（以下、アルミ電線という）は、銅線よりも安価でかつ軽量である利点を有しているが、スパイクがアルミニウム線材に食い込んだときには銅線よりも損傷しやすく、また、電気的な影響、たとえば電気抵抗の増大やスパークなどが生じるおそれがある。そのため、アルミ電線を掴むためにはスパイクを有する掴線器を用いることができない。
【０００５】
従来では、アルミ電線をスパイク無しで掴むために、上側掴線体と下側掴線体の対向面にアルミ電線の外周面にぴったり接触するような半円形断面の溝をこれら上側掴線体および下側掴線体の全長にわたって形成していた。
しかし、アルミ電線を両側から切断場所へ引き寄せて上方にたわんだときに、アルミ電線の上側部分が上側掴線体の半円形断面の溝のうち切断場所から遠い端部では、溝の最も奥の部分に一点に集中して強く押し当てられるので、アルミ電線の上側部分がアルミ電線の被覆部材を破損するおそれがある。
【０００６】
そこで、アルミ電線にかかる応力を分散するために、上側掴線体の溝をＶ字形状にし、アルミ電線を切断場所に引き寄せたときにアルミ電線の上側部分にかかる応力を分散することが考えられる。しかし、その場合も、上側掴線体のＶ字状の溝のうち切断場所から遠い端部におけるアルミ電線の被覆部材の破損を防止することができなかった。
【先行技術文献】
【特許文献】
【０００７】
【特許文献１】特開２０１４−１２８１８号公報
【発明の概要】
【発明が解決しようとする課題】
【０００８】
本発明は、上記したような従来技術の問題点を解決すべく、アルミ電線を掴んで切断場所に引き寄せたときのアルミ電線の被覆部材の損傷を防ぐことが可能な掴線器およびそれを用いた活線振り分け工具を提供することを目的とする。
【課題を解決するための手段】
【０００９】
本発明の掴線器は、アルミニウム製の線材が被覆部材によって被覆されたアルミ電線を空中に架設された状態で切断するために切断場所の近傍でアルミ電線を掴むアルミ電線用の掴線器であって、前記アルミ電線に上方から嵌まる嵌合溝が下面に形成された受けと、前記受けの下側に配置され、アルミ電線を下方から支持する支持溝が上面に形成されたカム部材と、前記カム部材と受けとの間隔を調整する間隔調整部と、前記掴線器をアルミ電線の切断場所へ近づく方向へ引っ張る引張用工具に対して上下方向に揺動自在に連結可能な連結部とを備えており、前記受けの前記嵌合溝は、前記切断場所に近い側の第１端部においてＶ字状の断面を有し、前記切断場所に遠い側の第２端部において半円形の断面を有し、さらに、前記嵌合溝は、当該嵌合溝のうち切断場所に遠い側の第２端部を含む少なくとも一部において、前記嵌合溝に沿って前記遠い側の第２端部に近づくにつれてＶ字状の断面から半円形の断面へ徐々に変化する断面変化部を有することを特徴とする。
【００１０】
本発明の掴線器では、アルミ電線を空中に架設された状態で切断するために切断場所の近傍でアルミ電線を掴む場合には、受けの嵌合溝をアルミ電線の上側部分に嵌合させ、その状態で、間隔調整部によって、カム部材と受けとの間隔を狭める方向に調整することにより、アルミ電線の下側部分をカム部材の支持溝に嵌合させる。これにより、アルミ電線は、カム部材と受けとの間に挟持され、掴線状態になる。
掴線器が引張用工具によって切断場所に近づく方向へ引っ張られたときには、アルミ電線が切断場所近傍で上方にたわむ。このとき、たわみに対応して、掴線器は、引張用工具との連結部において上下方向に揺動し、カム部材および受けは切断場所から遠い側の端部が下降する。それとともに、アルミ電線の上側の部分が受けの嵌合溝の内面に強く押し付けられる。
【００１１】
嵌合溝は、切断場所に近い側の第１端部においてＶ字状の断面を有し、切断場所に遠い側の第２端部において半円形の断面を有し、当該嵌合溝のうち遠い側の第２端部を含む少なくとも一部において、前記嵌合溝に沿って前記遠い側の第２端部に近づくにつれてＶ字状の断面から半円形の断面へ徐々に変化する断面変化部を有する。
したがって、嵌合溝における切断場所に近い部分では、Ｖ字状の断面を構成する２つの面がアルミ電線の上側の部分にそれぞれ別個に強く押し当てられることによって、アルミ電線を幅方向両側から挟んでアルミ電線の軸方向および幅方向のいずれにもずれないように安定して支持することが可能である。
【００１２】
また、嵌合溝のうち遠い側の第２端部を含む断面変化部は、嵌合溝の遠い側の第２端部に近づくにつれて嵌合溝の断面がＶ字状の断面から半円形の断面へ徐々に変化する形状を有する。そのため、アルミ電線の上側の部分の支持状態は、切断場所から離れるにつれてＶ字状の断面の２つの面によって幅方向両側から２点で支持される状態から半円形の断面の湾曲した面によって幅方向に広い接触面で支持される状態へ円滑に変化している。そのため、嵌合溝の遠い側の第２端部に近い部分においても、アルミ電線をその軸方向および幅方向へのずれを抑えながら安定して支持することが可能である。
【００１３】
また、アルミ電線が切断場所で上方にたわんだ状態では、嵌合溝の遠い側の第２端部は、第１端部よりも下方に位置するので、アルミ電線の上側の端部が最も強く押し付けられる。しかし、遠い側の第２端部は、半円形の断面になっているので、アルミ電線の上側の端部が強く嵌合溝に押し付けられても、嵌合溝の遠い側の第２端部における半円形の断面の湾曲した面によって幅方向に広い接触面で力を分散しながら支持することが可能である。
【００１４】
その結果、受けの嵌合溝の全長にわたってアルミ電線を軸方向および幅方向にずれないように安定して支持し、かつ、アルミ電線が嵌合溝の遠い側の第２端部に押し付けられることによるアルミ電線の被覆部材の破損や損傷を防ぐことが可能である。
【００１５】
前記受けでは、前記嵌合溝における切断場所に遠い側の第２端部の縁が面取りされているのが好ましい。
かかる構成により、アルミ電線が掴線器によって掴まれて切断場所へ引き寄せられたときに、アルミ電線の上側の部分が嵌合溝の切断場所に遠い側の第２端部の縁に押しつけられても、当該縁が面取りされることによって形成された広い接触面によって力が分散する。そのため、アルミ電線が嵌合溝の縁との接触によるアルミ電線の被覆部材の破損や損傷を確実に防止または抑制することが可能である。
【００１６】
前記嵌合溝における前記第２端部の半円形の断面は、前記第１端部のＶ字状の断面の深さよりも深くなるように形成され、前記断面変化部における前記Ｖ字状の断面の底部が延びる線に対するＶ字状の断面から半円形の断面へ徐々に変化する部分の底部が延びる線の角度は、前記アルミ電線が切断場所に引き寄せられた状態におけるアルミ電線のたわみの大きさに基づいて設定されているのが好ましい。
【００１７】
アルミ電線は太さなどの条件によってはアルミ電線が切断場所に引き寄せられたときのたわみの大きさが異なる。そこで、このアルミ電線のたわみの大きさに対応するように、上記の構成では、前記嵌合溝における前記第２端部の半円形の断面は、前記第１端部のＶ字状の断面の深さよりも深くなるように形成された構成において、前記断面変化部における前記Ｖ字状の断面の底部が延びる線に対するＶ字状の断面から半円形の断面へ徐々に変化する部分の底部が延びる線の角度は、前記アルミ電線が切断場所に引き寄せられた状態におけるアルミ電線のたわみの大きさに基づいて設定されている。それにより、アルミ電線を切断場所に引き寄せたときにアルミ電線が上方にたわんだ状態ではアルミ電線は受けに押し付けられるが、アルミ電線が受けに押し付けられる力を、断面変化部の全体にわたって分散して受けることが可能になる。その結果、嵌合溝の遠い側の第２端部に力が集中することを確実に防ぐことが可能になり、当該嵌合溝の遠い側の第２端部におけるアルミ電線の被覆部材の破損や損傷をより一層確実に抑制することが可能である。
【００１８】
前記受けは、前記間隔調整部に着脱自在に取り付けられているのが好ましい。かかる構成により、前記アルミ電線の太さに対応する嵌合溝を有する前記受けに交換することが可能である。
【００１９】
前記カム部材および前記受けは、前記間隔調整部に着脱自在に取り付けられているのが好ましい。かかる構成により、前記アルミ電線の太さに対応する嵌合溝を有する前記受けに交換することが可能であるだけでなく、アルミ電線以外の他の材質の電線、例えば銅線を備えた電線を掴むことに適したスパイク（突起）を有するカム部材および受けに交換することが可能である。その結果、掴線器の汎用性が広がる。
【００２０】
本発明の活線振り分け工具は、アルミニウム製の線材が被覆部材によって被覆されたアルミ電線を空中に架設された状態で切断するために切断場所の近傍の両側でアルミ電線を掴んで当該アルミ電線を当該切断場所へ両側から引き寄せる活線振り分け工具であって、上記記載の掴線器であって、前記切断場所の両側で前記アルミ電線を掴む一対の掴線器と、前記一対の掴線器のそれぞれをアルミ電線の切断場所へ近づく方向へ引っ張る引張用工具とを備え、前記引張用工具は、伸縮自在の伸縮棒を備えており、  前記一対の掴線器のそれぞれの前記連結部が前記伸縮棒の両端部に連結されることにより、当該一対の掴線器は、前記伸縮棒に対して上下方向に揺動自在に連結されていることを特徴とする。
【００２１】
かかる構成により、上記のように構成された一対の掴線器によってアルミ電線の切断場所の両側を掴み、引張用工具の伸縮棒によって一対の掴線器のそれぞれをアルミ電線の切断場所へ近づく方向へ引っ張る。これにより、アルミ電線を切断場所へ両側から容易に引き寄せることが可能であり、しかも、アルミ電線における切断場所の両側の部分では掴線器によって掴まれている部分におけるアルミ電線の被覆部材の破損や損傷を防ぐことが可能である。
【発明の効果】
【００２２】
本発明の掴線器およびそれを用いた活線振り分け工具によれば、アルミ電線を掴んで切断場所に引き寄せたときのアルミ電線の被覆部材の損傷を防ぐことができる。
【図面の簡単な説明】
【００２３】
【図１】本発明の実施形態に係る掴線器が伸縮棒の左右両側に連結された活線振り分け工具の正面図である。
【図２】図１の右側の掴線器を示す図であって、（ａ）は正面図、（ｂ）は（ａ）の掴線器を矢印Ａ方向から見た図である。
【図３】図１の左側の掴線器を示す図であって、（ａ）は正面図、（ｂ）は（ａ）の掴線器を矢印Ｂ方向から見た図である。
【図４】図１の右側の掴線器における３２ｓｑアルミ電線用の受けを示す図であって、（ａ）は正面図、（ｂ）は底面図、（ｃ）は（ａ）の掴線器を矢印Ｃ方向から見た図、（ｄ）は嵌合溝の第１端部のＶ字状の断面を模式的に示した図、（ｅ）は（ａ）のＥ−Ｅ線断面における嵌合溝の断面変化部の断面を模式的に示した図、（ｆ）は嵌合溝の第２端部の半円形の断面を模式的に示した図である。
【図５】図１の右側の掴線器におけるカム部材を示す図であって、（ａ）は正面図、（ｂ）は平面図、（ｃ）は（ａ）の左側面図である。
【図６】図１の右側の掴線器に取付け可能な１２０ｓｑアルミ電線用の受けを示す図であって、（ａ）は正面図、（ｂ）は底面図、（ｃ）は（ａ）の掴線器を矢印Ｄ方向から見た図である。
【発明を実施するための形態】
【００２４】
つぎに図面を参照しながら本発明の掴線器およびそれを用いた活線振り分け工具の実施形態についてさらに詳細に説明する。
図１には、本発明の実施形態に係るアルミ電線（Ｗ）用の掴線器（２）を備えた活線振り分け工具（１）が示されている。
【００２５】
図１に示される活線振り分け工具（１）は、アルミニウム製の線材が被覆部材によって被覆されたアルミ電線（Ｗ）を空中に架設された状態で切断するために、切断場所（ＣＴ）の近傍の両側でアルミ電線（Ｗ）を掴んで当該アルミ電線（Ｗ）を当該切断場所（ＣＴ）へ両側から引き寄せるための工具（１）である。
具体的には、活線振り分け工具（１）は、切断場所（ＣＴ）の両側でアルミ電線（Ｗ）を掴む一対の掴線器（２）と、一対の掴線器（２）のそれぞれをアルミ電線（Ｗ）の切断場所（ＣＴ）へ近づく方向（Ｐ）へ引っ張る引張用工具（３）とを備える。なお、一対の掴線器（２）について左右いずれかの掴線器を特定して呼ぶ場合には、図１の右側の掴線器を掴線器（２Ｒ）、左側の掴線器を掴線器（２Ｌ）と呼ぶ。
【００２６】
引張用工具（３）は、伸縮自在の伸縮棒（３ａ）と、伸縮棒（３ａ）両端部に設けられた支持部（３ｂ）とを備えている。
支持部（３ｂ）は、水平軸を回転中心として掴線器（２）を上下方向に揺動自在に支持する。一対の掴線器（２）のそれぞれには、支持部（３ｂ）に連結可能な連結部（７）が設けられている。
【００２７】
図２〜３に示される掴線器（２）は、アルミ電線（Ｗ）を空中に架設された状態で切断するために切断場所（ＣＴ）の近傍でアルミ電線（Ｗ）を掴むことが可能な構成を有する。なお、図２には切断場所（ＣＴ）の右側の掴線器（２Ｒ）が示され、図３には切断場所（ＣＴ）の左側の掴線器（２Ｌ）が示されている。これら右側の掴線器（２Ｒ）と左側の掴線器（２Ｌ）とは、基本的な構成は同じであるが、切断場所（ＣＴ）に対して対称形をしている。
【００２８】
図２〜３に示される掴線器（２）は、いずれも、受け（４）と、受け（４）の下方に配置されたカム部材（５）と、受け（４）とカム部材（５）との間隔を調整する間隔調整部（６）と、上記の引張用工具（３）の支持部（３ｂ）（図１参照）に連結される連結部（７）とを備えている。上下に配置された受け（４）とカム部材（５）との間にアルミ電線（Ｗ）を挟むことによって、掴線器（２）は当該アルミ電線（Ｗ）を掴むことが可能である。
以下、掴線器（２）の具体的な構成について、右側の掴線器（２Ｒ）の受け（４）、カム部材（５）、間隔調整部（６）、および連結部（７）を例に挙げて説明する。
【００２９】
受け（４）は、アルミ電線を上方から受けるための金属製のブロック状の部材である。受け（４）の下面には、アルミ電線（Ｗ）に上方から嵌まる嵌合溝（４ａ）が形成されている。
図４は、図１の右側の掴線器における３２ｓｑアルミ電線用の受けを示す図であって、（ａ）は正面図、（ｂ）は底面図、（ｃ）は（ａ）の矢視Ｃ図、（ｄ）は嵌合溝の第１端部のＶ字状の断面を模式的に示した図、（ｅ）は（ａ）のＥ−Ｅ線断面における嵌合溝の断面変化部の断面を模式的に示した図、（ｆ）は嵌合溝の第２端部の半円形の断面を模式的に示した図である。
【００３０】
図４（ａ）〜（ｆ）に示されるように、受け（４）の嵌合溝（４ａ）は、切断場所（ＣＴ）に近い側の第１端部（４ａ１）においてＶ字状の断面（図４（ｄ）参照）を有している。また、嵌合溝（４ａ）の切断場所（ＣＴ）に遠い側の第２端部（４ａ２）において半円形の断面（図４（ｆ）参照）を有している。
【００３１】
さらに、嵌合溝（４ａ）は、当該嵌合溝（４ａ）のうち切断場所（ＣＴ）に遠い側の第２端部（４ａ２）を含む少なくとも一部において、嵌合溝（４ａ）に沿って遠い側の第２端部（４ａ２）に近づくにつれてＶ字状の断面から半円形の断面へ徐々に変化する断面変化部（４ｃ）を有する。具体的には、この嵌合溝（４ａ）の断面変化部（４ｃ）では、図４（ｅ）に示されるように、嵌合溝（４ａ）がＶ字状の断面から半円形の断面へ徐々に下方から変わっていく。
【００３２】
断面変化部（４ｃ）の範囲は、嵌合溝（４ａ）の全長のうち第２端部（４ａ２）を含む少なくとも一部であればよく、本発明ではとくに限定されない。例えば、嵌合溝（４ａ）の全長の１／２〜１／４程度の範囲に設定されるが、嵌合溝（４ａ）の全長にわたって断面変化部（４ｃ）が形成されてもよい。
【００３３】
図４（ａ）に示されるように、嵌合溝（４ａ）における第２端部（４ａ２）の半円形の断面は、第１端部（４ａ１）のＶ字状の断面の深さよりも深くなるように形成されている。この構成において、断面変化部（４ｃ）におけるＶ字状の断面の底部が延びる線（４ｅ）に対するＶ字状の断面から半円形の断面へ徐々に変化する部分の底部が延びる線（４ｆ）の角度θ１は、アルミ電線（Ｗ）が切断場所（ＣＴ）に引き寄せられた状態におけるアルミ電線（Ｗ）のたわみの大きさに基づいて設定されている。
【００３４】
細いアルミ電線（Ｗ）（例えば、３２ｓｑ（すなわち、公称断面積が３２ｍｍ２のアルミ電線）の場合には、アルミ電線（Ｗ）が大きくたわむので、そのたわみ量を考慮して、上記の角度θ１は２度程度に設定される。一方、太いアルミ電線（Ｗ）（例えば、１２０ｓｑ（すなわち、公称断面積が１２０ｍｍ２のアルミ電線）の場合には、アルミ電線（Ｗ）のたわみ量は上記の３２ｓｑのアルミ電線よりも小さくなる。したがって、これを考慮して、図６（ａ）〜（ｃ）に示されるような１２０ｓｑのアルミ電線に対応する受け４では、上記の角度θ２は１度程度に設定される。
【００３５】
また、図４（ａ）、（ｆ）に示される受け（４）では、嵌合溝（４ａ）における切断場所（ＣＴ）に遠い側の第２端部（４ａ２）の縁が面取りされている。具体的には、嵌合溝（４ａ）における切断場所（ＣＴ）に遠い側の第２端部（４ａ２）の縁には、当該縁の角が取れるように丸み（いわゆるＲ）が付けられた面取り部分（４ｄ）が形成されている。なお、面取り部分（４ｄ）は、嵌合溝（４ａ）の縁の角が取れればよく、縁の角を斜めにカットして取り除いた部分（いわゆるＣ面）でもよい。
【００３６】
カム部材（５）は、図１〜３に示されるように、受け（４）の下側に配置され、アルミ電線（Ｗ）を下方から受けることが可能な構成を有する。
具体的には、図５（ａ）〜（ｃ）に示されるように、カム部材（５）の上面には、アルミ電線（Ｗ）を下方から支持する支持溝（５ａ）が形成されている。
支持溝（５ａ）は、全長にわたってＶ字状の断面を有する。そのため、いかなる太さのアルミ電線（Ｗ）であっても、支持溝（５ａ）を構成する２つの面が電線を幅方向両側から支持することが可能である。
【００３７】
なお、カム部材（５）の支持溝（５ａ）の内面は、金属物質などの溶射などの加工を施すことによって、活線用振り分け工具（１）を用いてアルミ電線（Ｗ）を切断場所（ＣＴ）へ引き寄せる際にアルミ電線（Ｗ）が支持溝（５ａ）内部で滑ることを防止することが可能である。
【００３８】
また、カム部材（５）の下面には、後述する間隔調整部（６）の矢部（６ｄ１）が挿入される挿入溝（５ｂ）が形成されている。
【００３９】
間隔調整部（６）は、カム部材（５）と受け（４）との間隔を調整する構成を有していればよく、本発明では間隔調整部の具体的な構成についてはとくに限定しない。
例えば、図２に示される間隔調整部（６）は、ベース部（６ａ）と、受け（４）をベース部（６ａ）に着脱自在に固定する固定部（６ｂ）と、カム部材（５）をベース部（６ａ）に対して上下方向に移動できるように取り付ける取付け部（６ｃ）と、カム部材（５）を上方向へ押圧する押圧部（６ｄ）とを備える。
【００４０】
ベース部（６ａ）の上部には、固定部（６ｂ）が取り付けられている。固定部（６ｂ）は、受け（４）の上部に設けられた突起を挟む（クランプする）機構を有している。これにより、嵌合溝（４ａ）が下方を向いた状態で受け（４）をベース部（６ａ）に着脱自在に取り付けることができる。
【００４１】
取付け部（６ｃ）は、ベース部（６ａ）の上下方向に延びる垂直部分（６ａ１）の外周を取り囲む形状を有しており、当該垂直部分（６ａ１）に沿って上下方向に移動自在である。取付け部（６ｃ）には、カム部材（５）がボルトなどによって着脱自在に取り付けられている。これにより、カム部材（５）を受け（４）の下方において上下方向に移動自在に配置することが可能である。
【００４２】
押圧部（６ｄ）は、水平方向に移動可能な矢部（６ｄ１）と、上下方向に移動自在のくさび部（６ｄ２）と、くさび部（６ｄ２）を上方向へ押圧するねじ部（６ｄ３）とを有する。矢部（６ｄ１）の下部傾斜面（Ｓ１）は、くさび部（６ｄ２）の上部傾斜面（Ｓ２）に当接する。矢部（６ｄ１）の上部は、カム部材（５）の挿入溝（５ｂ）に若干の遊びをもたせて嵌合されている。そのため、挿入溝（５ｂ）の内部では、矢部（６ｄ１）の水平方向への移動は許容されている。
【００４３】
ねじ部（６ｄ３）は、外周面にねじ山が形成された棒状の部材であり、ベース部（６ａ）の垂直部分（６ａ１）の下端部から水平方向に延びる水平部分（６ａ２）に形成されたねじ孔（図示せず）に螺合している。したがって、ねじ部（６ｄ３）を回転させることによって、ねじ部（６ｄ３）の上端部がくさび部（６ｄ２）および矢部（６ｄ１）を持ち上げる。それとともに、矢部（６ｄ１）の上部は、カム部材（５）の挿入溝（５ｂ）に挿入された状態でカム部材（５）を持ち上げる。これにより、カム部材（５）を受け（４）に近づけ、受け（４）とカム部材（５）との間隔を狭めることができ、これら受け（４）およびカム部材（５）によって、アルミ電線（Ｗ）を上下から挟むことが可能である。
【００４４】
図１〜２に示されるように、連結部（７）は、掴線器（２）をアルミ電線（Ｗ）の切断場所（ＣＴ）へ近づく方向（Ｐ）へ引っ張る引張用工具（３）の伸縮棒（３ａ）の両端部に配置された支持部（３ｂ）に対して上下方向に揺動自在に連結可能な部分である。
【００４５】
図２に示される連結部（７）は、間隔調整部（６）の押圧部（６ｄ）の矢部（６ｄ１）の端部に設けられている。このため、矢部（６ｄ１）は、連結部（７）および上記支持部（３ｂ）を介して引張用工具（３）の伸縮棒（３ａ）に連結されている。したがって、伸縮棒（３ａ）が縮んだときには、矢部（６ｄ１）が連結部（７）とともに切断場所（ＣＴ）へ近づく方向（Ｐ）に引き寄せられる。このとき、矢部（６ｄ１）はくさび部（６ｄ２）の上部傾斜面（Ｓ２）に沿って上方へ押し上げられる。これにより、矢部（６ｄ１）の上方に位置するカム部材（５）も上方へ押し上げられることにより、受け（４）およびカム部材（５）によってアルミ電線（Ｗ）を挟む力を増大させて（いわゆる増し締めをして）アルミ電線（Ｗ）の軸方向への滑りを確実に抑制することが可能である。
【００４６】
なお、本実施形態の連結部（７）は、間隔調整部（６）の押圧部（６ｄ）の矢部（６ｄ１）の切断場所（ＣＴ）に近い場所の端部に設けられているが、本発明はこれに限定されるものではない。例えば、矢部（６ｄ１）を有しない掴線器（２）の場合には、連結部（７）がベース部（６ａ）などに配置されていてもよい。
【００４７】
なお、上記の間隔調整部（６）は、受け（４）を固定してカム部材（５）を上下に移動させることによって受け（４）とカム部材（５）との間隔を調整しているが、本発明はこれに限定されるものではない。他の間隔調整部（６）として、カム部材（５）を固定して受け（４）を上下に移動させる構成でもよいし、または受け（４）およびカム部材（５）の両方を上下に移動させる構成でもよい。
【００４８】
以上のように構成された掴線器（２）を用いて、アルミ電線（Ｗ）を空中に架設された状態で切断するために切断場所（ＣＴ）の近傍でアルミ電線（Ｗ）を掴む場合には、図１〜２に示されるように、受け（４）の嵌合溝（４ａ）をアルミ電線（Ｗ）の上側部分に嵌合させ、その状態で、間隔調整部（６）によって、カム部材（５）と受け（４）との間隔を狭める方向に調整し、アルミ電線（Ｗ）の下側部分をカム部材（５）の支持溝（５ａ）に嵌合させる。これにより、アルミ電線（Ｗ）は、カム部材（５）と受け（４）との間に挟持され、掴線状態になる。
【００４９】
そして、引張用工具（３）における伸縮棒（３ａ）を縮めることによって、掴線器（２）が切断場所（ＣＴ）に近づく方向（Ｐ）へ引っ張られたときには、アルミ電線（Ｗ）が切断場所（ＣＴ）近傍で上方にたわむ。このとき、たわみに対応して、掴線器（２）は、引張用工具（３）との連結部（７）において上下方向に揺動し、カム部材（５）および受け（４）は切断場所（ＣＴ）から遠い側の端部が下降する。それとともに、アルミ電線（Ｗ）の上側の部分が受け（４）の嵌合溝（４ａ）の内面に強く押し付けられる。
【００５０】
嵌合溝（４ａ）は、図４（ｄ）に示されるように切断場所（ＣＴ）に近い側の第１端部（４ａ１）においてＶ字状の断面を有し、図４（ｆ）に示されるように切断場所（ＣＴ）に遠い側の第２端部（４ａ２）において第１端部（４ａ１）のＶ字状の断面の深さよりも深い半円形の断面を有する。また、嵌合溝（４ａ）は、図４（ａ）、（ｅ）に示されるように、当該嵌合溝（４ａ）のうち遠い側の第２端部（４ａ２）を含む少なくとも一部において、嵌合溝（４ａ）に沿って遠い側の第２端部（４ａ２）に近づくにつれてＶ字状の断面から半円形の断面へ徐々に変化する断面変化部（４ｃ）を有する。したがって、嵌合溝（４ａ）における切断場所（ＣＴ）に近い部分ではＶ字状の断面を構成する２つの面がアルミ電線（Ｗ）の上側の部分にそれぞれ別個に強く押し当てられることによって、アルミ電線（Ｗ）を幅方向両側から挟んでアルミ電線（Ｗ）の軸方向および幅方向のいずれにもずれないように安定して支持することが可能である。
【００５１】
嵌合溝（４ａ）のうち遠い側の第２端部（４ａ２）を含む断面変化部（４ｃ）は、嵌合溝（４ａ）の遠い側の第２端部（４ａ２）に近づくにつれて嵌合溝（４ａ）の断面がＶ字状の断面から半円形の断面へ徐々に変化する形状を有する。そのため、アルミ電線（Ｗ）の上側の部分の支持状態は、切断場所（ＣＴ）から離れるにつれてＶ字状の断面の２つの面によって幅方向両側から２点で支持される状態から半円形の断面の湾曲した面によって幅方向に広い接触面で支持される状態へ円滑に変化している。そのため、嵌合溝（４ａ）の遠い側の第２端部（４ａ２）に近い部分においても、アルミ電線（Ｗ）をその軸方向および幅方向へのずれを抑えながら安定して支持することが可能である。
【００５２】
また、アルミ電線（Ｗ）が切断場所（ＣＴ）で上方にたわんだ状態では、嵌合溝（４ａ）の遠い側の第２端部（４ａ２）は、第１端部（４ａ１）よりも下方に位置するので、アルミ電線（Ｗ）の上側の端部が最も強く押し付けられる。しかし、遠い側の第２端部（４ａ２）は、半円形の断面になっているので、アルミ電線（Ｗ）の上側の端部が強く嵌合溝（４ａ）に押し付けられても、嵌合溝（４ａ）の遠い側の第２端部（４ａ２）における半円形の断面の湾曲した面によって幅方向に広い接触面で力を分散しながら支持することが可能である。
【００５３】
その結果、受け（４）の嵌合溝（４ａ）の全長にわたってアルミ電線（Ｗ）を軸方向および幅方向にずれないように安定して支持し、かつ、アルミ電線（Ｗ）が嵌合溝（４ａ）の遠い側の第２端部（４ａ２）に押し付けられることによるアルミ電線（Ｗ）の被覆部材の破損や損傷を防ぐことが可能である。
【００５４】
また、本実施形態の受け（４）では、図４（ａ）、（ｆ）に示されるように、嵌合溝（４ａ）における切断場所（ＣＴ）に遠い側の第２端部（４ａ２）の縁が面取りされて面取り部分（４ｄ）が形成されている。したがって、アルミ電線（Ｗ）が掴線器（２）によって掴まれて切断場所（ＣＴ）へ引き寄せられたときに、アルミ電線（Ｗ）の上側の部分が嵌合溝（４ａ）の切断場所（ＣＴ）に遠い側の第２端部（４ａ２）の縁に押しつけられても、当該縁の面取り部分（４ｄ）によって形成された広い接触面によって力が分散する。そのため、アルミ電線（Ｗ）が嵌合溝（４ａ）の縁との接触によるアルミ電線（Ｗ）の被覆部材の破損や損傷を確実に防止または抑制することが可能である。
【００５５】
さらに、本実施形態では、アルミ電線（Ｗ）は太さなどの条件によってはアルミ電線（Ｗ）が切断場所（ＣＴ）に引き寄せられたときのたわみの大きさが異なることに対応した形状の嵌合溝（４ａ）の断面変化部（４ｃ）を有する。具体的には、アルミ電線（Ｗ）のたわみの大きさに対応するように、上記実施形態の構成では、図４（ａ）に示されるように、嵌合溝（４ａ）における第２端部（４ａ２）の半円形の断面は、第１端部（４ａ１）のＶ字状の断面の深さよりも深くなるように形成された構成において、断面変化部（４ｃ）におけるＶ字状の断面の底部が延びる線（４ｅ）に対するＶ字状の断面から半円形の断面へ徐々に変化する部分の底部が延びる線（４ｆ）の角度θ１は、アルミ電線（Ｗ）が切断場所（ＣＴ）に引き寄せられた状態におけるアルミ電線（Ｗ）のたわみの大きさに基づいて設定されている。それにより、アルミ電線（Ｗ）を切断場所（ＣＴ）に引き寄せたときにアルミ電線（Ｗ）が上方にたわんだ状態ではアルミ電線（Ｗ）は受け（４）に押し付けられるが、アルミ電線（Ｗ）が受け（４）に押し付けられる力を、断面変化部（４ｃ）の全体にわたって分散して受けることが可能になる。その結果、嵌合溝（４ａ）の遠い側の第２端部（４ａ２）に力が集中することを確実に防ぐことが可能になり、当該嵌合溝（４ａ）の遠い側の第２端部（４ａ２）におけるアルミ電線（Ｗ）の被覆部材の破損や損傷をより一層確実に抑制することが可能である。
【００５６】
また、本実施形態の掴線器（２）では、受け（４）は、間隔調整部（６）の固定部（６ｂ）に着脱自在に取り付けられている。そのため、アルミ電線（Ｗ）の太さに対応する嵌合溝（４ａ）を有する受け（４）に交換することが可能である。例えば、図２〜３に示される掴線器（２）では、３２ｓｑのアルミ電線用の受け（４）が上記間隔調整部（６）の固定部（６ｂ）に取り付けられているが、この受け（４）の代わりに、太いアルミ電線に対応する受けとして、図６に示される１２０ｓｑのアルミ電線用の受け（４）を当該固定部（６ｂ）に着脱自在に取り付けることが可能である。
【００５７】
なお、図６に示される１２０ｓｑのアルミ電線用の受け（４）は、図４に示される３２ｓｑのアルミ電線用の受け（４）と比較して、対応する電線の太さの分だけ嵌合溝（４ａ）の形状が若干異なるが、その他の部分については共通の構造を有するようにすれば上記の３２ｓｑ用の受け（４）と交換可能である。
【００５８】
また、本実施形態の掴線器（２）では、カム部材（５）および受け（４）は、間隔調整部（６）に着脱自在に取り付けられている。したがって、アルミ電線（Ｗ）の太さに対応する嵌合溝（４ａ）を有する受け（４）に交換することが可能であるだけでなく、アルミ電線（Ｗ）以外の他の材質の電線、例えば銅線を備えた電線を掴むことに適したスパイク（突起）を有するカム部材（５）および受け（４）に交換することが可能である。その結果、掴線器（２）の汎用性が広がる。
【００５９】
本実施形態の掴線器（２）を備えた活線振り分け工具（１）では、上記のように構成された一対の掴線器（２）によってアルミ電線（Ｗ）の切断場所（ＣＴ）の両側を掴み、引張用工具（３）の伸縮棒（３ａ）によって一対の掴線器（２）のそれぞれをアルミ電線（Ｗ）の切断場所（ＣＴ）へ近づく方向（Ｐ）へ引っ張ることにより、アルミ電線（Ｗ）を切断場所（ＣＴ）へ両側から容易に引き寄せることが可能である。しかも、アルミ電線（Ｗ）における切断場所（ＣＴ）の両側の部分では掴線器（２）によって掴まれている部分におけるアルミ電線（Ｗ）の被覆部材の破損や損傷を防ぐことが可能である。
【産業上の利用可能性】
【００６０】
本発明は、アルミ電線用の掴線器およびそれを用いた活線振り分け工具に広く用いることが可能であり、アルミ電線を掴んで切断場所に引き寄せたときのアルミ電線の被覆部材の損傷を防ぐことが可能である。
【符号の説明】
【００６１】
１  活線振り分け工具
２、２Ｒ、２Ｌ  掴線器
３  引張用工具
３ａ  伸縮棒
３ｂ  支持部
４  受け
４ａ  嵌合溝
４ａ１  第１端部
４ａ２  第２端部
４ｃ  断面変化部
４ｄ  面取り部分
４ｅ、４ｆ  線
５  カム部材
５ａ  支持溝
６  間隔調整部
６ａ  ベース部
６ｂ  固定部
６ｃ  取付け部
６ｄ  押圧部
６ｄ１  矢部
６ｄ２  くさび部
６ｄ３  ねじ部
７  連結部
ＣＴ  切断場所
Ｗ  アルミ電線
【図１】
2020054021.tif 000003
【図２】
2020054021.tif 000004
【図３】
2020054021.tif 000005
【図４】
2020054021.tif 000006
【図５】
2020054021.tif 000007
【図６】
2020054021.tif 000008